(57)【要約】【課題】  建物内に露出する鉄骨梁を梁化粧材で被覆するとともに、意匠性に富んだ鉄骨梁の化粧構造を提供することを目的とする。【解決手段】梁化粧構造１は、建物内に設置され室内に露出する鉄骨梁２を梁化粧材３で被覆する構造であって、型鋼で形成される長尺な鉄骨梁２と、鉄骨梁２に設置され、梁化粧材３を固定する固定下地材４と、室内に露出する鉄骨梁２の両側面及び下面を鉄骨梁２の長手方向に沿って被覆する木製板状の梁化粧材３と、を備え、梁化粧材３は、梁化粧材３の鉄骨梁２の下面を被覆する部分に梁化粧材３の板厚方向へ貫通する隙間３０を形成する。【選択図】図１
2018188852.tif 000002
【特許請求の範囲】
【請求項１】
建物内に設置され室内に露出する鉄骨梁を梁化粧材で被覆する梁化粧構造であって、
型鋼で形成される長尺な前記鉄骨梁と、
前記鉄骨梁に設置され、前記梁化粧材を固定する固定下地材と、
室内に露出する前記鉄骨梁の両側面及び下面を前記鉄骨梁の長手方向に沿って被覆する木製板状の梁化粧材と、を備え、
前記梁化粧材は、該梁化粧材の前記鉄骨梁の下面を被覆する部分に前記梁化粧材の板厚方向へ貫通する隙間を形成することを特徴とする梁化粧構造。
【請求項２】
前記梁化粧材は、前記鉄骨梁の一方の側面側から前記固定下地材に固定される第１梁化粧材と、前記鉄骨梁の他方の側面側から前記固定下地材に固定される第２梁化粧材と、を有し、
前記第１梁化粧材は、前記鉄骨梁の室内に露出する一方の側面を被覆する第１側面部と、該第１側面部の下端から前記鉄骨梁の下面の方向へ突出して前記鉄骨梁の下面を覆う第１下面部と、を形成し、
前記第２梁化粧材は、前記鉄骨梁の室内に露出する他方の側面を被覆する第２側面部と、該第２側面部の下端から前記鉄骨梁の下面の方向へ突出して前記鉄骨梁の下面を覆う第２下面部と、を形成し、
平面視において、前記第１下面部と前記第２下面部は、互いに離間して前記鉄骨梁の長手方向へ延びる前記隙間を形成することを特徴とする請求項１に記載の梁化粧構造。
【請求項３】
前記第１下面部及び前記第２下面部の上面は、それぞれ前記鉄骨梁の下面と離間して該鉄骨梁の下面との間に第１空間を形成することを特徴とする請求項２に記載の梁化粧構造。
【請求項４】
前記第１空間に照明器具を設置することを特徴とする請求項３に記載の梁化粧構造。
【請求項５】
前記第１側面部及び前記第２側面部は、それぞれ板厚方向へ貫通するスリットを形成し、
前記第１側面部及び前記第２側面部の前記固定下地材に面する側面である内側面は、前記固定下地材の前記第１側面部及び前記第２側面部に面する側面である外側面と離間して該外側面との間に第２空間を形成し、
前記第２空間に照明器具を設置することを特徴とする請求項２から請求項４のいずれかに記載の梁化粧構造。
【請求項６】
前記梁化粧材は、前記第一側面部及び前記第二側面部を前記固定下地材に接着固定することを特徴とする請求項２から請求項４のいずれかに記載の梁化粧構造。
【請求項７】
建物内に設けられた天井面を凹溝形状に折上げた折上天井構造であって、
前記凹溝形状の底面を形成する折上天井面から室内方向へ突出し、且つ、請求項１から請求項６のいずれかに記載の前記梁化粧構造を備えた複数の化粧梁と、
前記化粧梁に直交する前記凹溝形状の側面を形成する見切縁と、を有していることを特徴とする折上天井構造。
【請求項８】
前記折上天井面から室内方向へ突出し、且つ、前記折上天井面から露出する梁材の両側面及び下面を木製の被覆材で被覆された被覆梁をさらに有し、
前記化粧梁は、互いに離間して平行に形成され、
前記被覆梁は、互いに離間する前記化粧梁の間に前記化粧梁に直交して設置され、且つ、前記化粧梁の高さよりも低い高さで形成されることを特徴とする請求項７に記載の折上天井構造。
【発明の詳細な説明】
【技術分野】
【０００１】
本発明は、建物に設置される鉄骨梁を梁化粧材で被覆する梁化粧構造に関する。
【背景技術】
【０００２】
従来より、階高が低い建物の梁や梁せいが高い梁は、天井内に納めることができず室内に露出することがあった。これらの梁はそのまま露出させることもあるが、鉄骨梁の周囲を温かみのある木質の化粧材で被覆して室内空間の意匠性を向上させることがある。
【０００３】
特許文献１に記載の発明は、鉄骨梁の化粧構造について開示しており、Ｉ形鋼で形成された鉄骨梁のウェブとフランジに複数のスペーサを設置して、木質の化粧材である被覆材を各スペーサに接着固定している。また、梁材の下面を被覆する下被覆材の底板に照明用の配線を収納するための配線用溝材を設けている。
【０００４】
特許文献２に記載の発明では、室内に露出する鉄骨梁の周囲を木材で形成された耐火被覆材で被覆する点が記載されている。この発明では、内部デザインが木質系の建物に好適である旨が開示されている。
【先行技術文献】
【特許文献】
【０００５】
【特許文献１】特開平８−１９９７８３
【特許文献２】特開２０１３−１１０６３
【発明の概要】
【発明が解決しようとする課題】
【０００６】
しかしながら、特許文献１及び特許文献２に記載の発明では、露出する鉄骨梁の周囲を全て木質の化粧材で被覆してしまうため、意匠上の変化が乏しく画一的な外観とならざるを得ない。また、鉄骨梁が木質梁にしか見えず、鉄骨材の意匠上の良さを隠蔽してしまうという問題が挙げられる。
【０００７】
そこで、本発明は、上述した課題を鑑みてなされたものであって、建物内に露出する鉄骨梁を梁化粧材で被覆するとともに、意匠性に富んだ鉄骨梁の化粧構造を提供することを目的とする。
【課題を解決するための手段】
【０００８】
本発明の第１の梁化粧構造は、建物内に設置され室内に露出する鉄骨梁を梁化粧材で被覆する梁化粧構造であって、型鋼で形成される長尺な前記鉄骨梁と、前記鉄骨梁に設置され、前記梁化粧材を固定する固定下地材と、室内に露出する前記鉄骨梁の両側面及び下面を前記鉄骨梁の長手方向に沿って被覆する木製板状の梁化粧材と、を備え、前記梁化粧材は、該梁化粧材の前記鉄骨梁の下面を被覆する部分に前記梁化粧材の板厚方向へ貫通する隙間を形成することを特徴としている。
【０００９】
本発明の第２の梁化粧構造は、前記梁化粧材は、前記鉄骨梁の一方の側面側から固定下地材に固定される第１梁化粧材と、前記鉄骨梁の他方の側面側から前記固定下地材に固定される第２梁化粧材と、を有し、前記第１梁化粧材は、前記鉄骨梁の室内に露出する一方の側面を被覆する第１側面部と、該第１側面部の下端から前記鉄骨梁の下面の方向へ突出して前記鉄骨梁の下面を覆う第１下面部と、を形成し、前記第２梁化粧材は、前記鉄骨梁の室内に露出する他方の側面を被覆する第２側面部と、該第２側面部の下端から前記鉄骨梁の下面の方向へ突出して前記鉄骨梁の下面を覆う第２下面部と、を形成し、平面視において、前記第１下面部と前記第２下面部は、互いに離間して前記鉄骨梁の長手方向へ延びる前記隙間を形成することを特徴としている。
【００１０】
本発明の第３の梁化粧構造は、前記第１下面部及び前記第２下面部の上面は、それぞれ前記鉄骨梁の下面と離間して該鉄骨梁の下面との間に第１空間を形成することを特徴としている。
【００１１】
本発明の第４の梁化粧構造は、前記第１空間に照明器具を設置することを特徴としている。
【００１２】
本発明の第５の梁化粧構造は、前記第１側面部及び前記第２側面部は、それぞれ板厚方向へ貫通するスリットを形成し、前記第１側面部及び前記第２側面部の前記固定下地材に面する側面である内側面は、前記固定下地材の前記第１側面部及び前記第２側面部に面する側面である外側面と離間して該外側面との間に第２空間を形成し、前記第２空間に照明器具を設置することを特徴としている。
【００１３】
本発明の第６の梁化粧構造は、前記第一側面部及び前記第二側面部を前記固定下地材に接着固定されることを特徴としている。
【００１４】
本発明の折上天井構造は、建物内に設けられた天井面を凹溝形状に折上げた折上天井構造であって、前記凹溝形状の底面を形成する折上天井面から室内方向へ突出し、且つ、請求項１から請求項６のいずれかに記載の前記梁化粧構造を備えた複数の化粧梁と、前記化粧梁に直交する前記凹溝形状の側面を形成する見切縁と、を有していることことを特徴としている。
【００１５】
本発明の折上天井構造は、前記折上天井面から室内方向へ突出し、且つ、前記折上天井面から露出する梁材の両側面及び下面を木製の被覆材で被覆された被覆梁をさらに有し、前記化粧梁は、互いに離間して平行に形成され、前記被覆梁は、互いに離間する前記化粧梁の間に前記化粧梁に直交して設置され、且つ、前記化粧梁の高さよりも低い高さで形成されることを特徴としている。
【発明の効果】
【００１６】
本発明の第１の梁化粧構造によると、梁化粧材は、梁化粧材の鉄骨梁の下面を被覆する部分に、梁化粧材の板厚方向へ貫通する隙間を形成しているので、室内から見上げた際に隙間から鉄骨梁の下面を視認することができる。したがって、木製の梁化粧材の柔らかな印象と鉄骨梁の硬質な印象を組み合わせて変化に富んだ意匠の室内空間を構築することができる。
【００１７】
本発明の第２の梁化粧構造によると、梁化粧材は、鉄骨梁の第１化粧材と第２化粧材を有しており、平面視において、第１化粧材の第１下面部と第２化粧材の第２下面部は、互いに離間して鉄骨梁の長手方向へ延びる隙間を形成しているので、室内から見上げた際に、隙間が鉄骨梁の長手方向を強調することができる。したがって、鉄骨梁が天井内に隠蔽できない大スパンの梁である場合は、迫力のある室内空間を構築することができる。また、梁化粧材は第１化粧材と第２化粧材とに分割されているため、鉄骨梁を挟んで天井高さが相違する場合は、天井高さに合わせて第１化粧材及び第２化粧材の形状を変更することができ、様々な天井高さに柔軟に対応することができる。
【００１８】
本発明の第３の梁化粧構造によると、第１下面部及び第２下面部の上面は、鉄骨梁の下面と離間して鉄骨梁の下面との間に第１空間を形成するので、室内から見上げた際に、隙間の陰影をより高めることができ、変化に富んだ意匠の室内空間を構築することができる。
【００１９】
本発明の第４の梁化粧構造によると、第１空間に照明器具を設置するので、隙間から照明光が照射されて、室内を照らすことができる。また、隙間が鉄骨梁の長手方向に延びる場合は、隙間から照射される照明光が鉄骨材の長手方向を強調することができ、変化に富んだ意匠の室内空間を構築することができる。
【００２０】
本発明の第５の梁化粧構造によると、第１側面部及び第２側面部は、それぞれ板厚方向へ貫通するスリットを形成し、第１側面部及び第２側面部の内側面は、外側面とそれぞれ離間して外側面との間に第２空間を形成し、第２空間に照明器具を設置するので、スリットから照明光が照射されて、室内を照らすことができる。また、スリットが鉄骨梁の長手方向に延びる場合は、スリットから照射される照明光が鉄骨材の長手方向を強調することができ、変化に富んだ意匠の室内空間を構築することができる。
【００２１】
本発明の第６の梁化粧構造によると、第１側面部及び第２側面部を固定下地材に接着固定するので、室内から見上げた時に、ビスや釘などの雑多な固定具が目視されず意匠性に優れた梁化粧構造を構築することができる。
【００２２】
本発明の折上天井構造によると、凹溝形状の底面を形成する折上天井面から室内側へ突出し、且つ、第１から第６のいずれかに記載の梁化粧構造を備えた複数の化粧梁を有しているので、折上天井を変化に富んだ意匠とすることができる。また、化粧梁に直交する凹溝形状の側面を形成する見切縁を有しているので、凹部形状の折上げをより強調することができ、迫力のある室内空間を構築することができる。
【００２３】
本発明の折上天井構造によると、折上天井面から室内方向へ突出し、且つ、折上天井面から露出する梁材の両側面及び下面を木製の被覆材で被覆された被覆梁が、互いに離間する化粧梁の間に化粧梁に直交して設置され、且つ、化粧梁の高さよりも低い高さで形成されるので、より化粧梁の長手方向を強調することができ、変化に富んだ意匠とすることができるとともに迫力のある室内空間を形成することができる。
【図面の簡単な説明】
【００２４】
【図１】梁化粧構造を示す断面図。
【図２】梁化粧構造を示す側面図。
【図３】梁化粧構造の分解断面図。
【図４】固定下地材の鉄骨梁への設置状況を示す斜視図。
【図５】図１のＡ部拡大断面図。
【図６】照明器具を備えた梁化粧構造を示す断面図。
【図７】図１のＢ−Ｂ断面図。
【図８】折上天井構造を示す平面図。
【図９】図８のＣ−Ｃ断面図。
【図１０】図８のＤ−Ｄ断面図。
【図１１】図１０のＥ部拡大断面図。
【図１２】折上天井構造を示す内観図。
【発明を実施するための形態】
【００２５】
以下、梁化粧構造１の最良の実施形態について各図を参照しつつ説明する。なお、本願の梁化粧構造は、主に鉄骨造の建築物に使用される。
【００２６】
梁化粧構造１は、図１及び図２に示すように、建物内に設置され室内に露出する鉄骨梁２を梁化粧材３で被覆する構造であって、型鋼で形成される長尺な鉄骨梁２と、鉄骨梁２に設置され、梁化粧材３を固定する固定下地材４と、室内に露出する鉄骨梁２の両側面及び下面を鉄骨梁２の長手方向に沿って被覆する木製板状の梁化粧材３と、を備え、梁化粧材３は、梁化粧材３の鉄骨梁２の下面を被覆する部分に梁化粧材３の板厚方向へ貫通する隙間３０を形成している。
【００２７】
鉄骨梁２は、図１に示すように、上階の床版５を支持するとともに天井材６の室内側の天井面６１から室内方向へ突出する梁である。鉄骨梁２の形状は型鋼であれば特に限定されないが、ここでは、図３に表れているように、Ｈ形鋼に逆Ｔ形鋼を溶接固定して形成される梁せいの高い鉄骨梁２について説明を行う。鉄骨梁２は、Ｈ型鋼のウェブである上ウェブ２ａと、上ウェブ２ａの幅方向の一端から上ウェブ２ａに直交する方向へ突出して上階の床版５を支持する上フランジ２ｂと、上ウェブ２ａの幅方向の他端から上ウェブ２ａに直交する方向へ突出する中フランジ２ｃと、中フランジ２ｃに溶接される逆Ｔ形鋼のウェブである下ウェブ２ｄと、下ウェブ２ｄを挟んで中フランジ２ｃと対向するとともに下ウェブ２ｄの幅方向の一端から下ウェブ２ｄに直交する方向へ突出する下フランジ２eと、を備えている。また、図１に示すように、鉄骨梁２は、天井材６を所定の位置に設置した際に、上ウェブ２ａの幅方向略中央から下フランジ２ｅの下面２１までが天井面６１から室内方向へ突出する。
【００２８】
図３に示すように、中フランジ２ｃには、固定下地材４を中フランジ２ｃに固定するためのボルト７を挿通する挿通孔２２が、上ウェブ２ａを挟んで両側に設けられており、この挿入孔２２は、図４に示すように、中フランジ２ｃの長手方向に所定間隔を空けて設けられている。また、下フランジ２ｅに照明用の配線を通すための配線用孔２３を下フランジ２ｅの長手方向に所定間隔を空けて設けておいてもよい。この配線用孔２３は、後述する照明器具１２を設置する際に使用することができる。
【００２９】
梁化粧材３は、図３に示すように、鉄骨梁２の一方の側面側から固定下地材４に固定される第１梁化粧材３ａと、鉄骨梁２の他方の側面側から固定下地材４に固定される第２梁化粧材３ｂと、を有している。図１及び図３に示すように、第１梁化粧材３ａは、鉄骨梁２の天井面６１から室内方向へ突出する一方の側面を被覆する第１側面部３１と、第１側面部３１の下端から下フランジ２ｅの方向へ突出して下フランジ２ｅの下面２１を覆う第１下面部３２を形成し、第２梁化粧材３ｂは、鉄骨梁２の天井面６１から室内方向へ突出する他方の側面を被覆する第２側面部３３と、第２側面部３３の下端から下フランジ２ｅの方向へ突出して下面２１を覆う第２下面部３４を形成している。
【００３０】
また、第１側面部３１と第２側面部３３は、図２及び図３に示すように、それぞれ固定下地材４に面する内側面３５に梁化粧材３の長手方向へ延びる複数の溝部３６を設けている。この複数の溝部３６は、梁化粧材３を後述する固定下地材４に固定する際の係合部となる。
【００３１】
さらに、図３に示すように、第１下面部３２の上面３７の幅Ｌ１と、第２下面部３４の上面３７の幅Ｌ１との和は、下面２１の幅Ｌ２未満となるように形成されており、また、図１に示すように、第１側面部３１と第２側面部３３のそれぞれの側面３５の幅Ｌ３は、天井面６１から下面２１までの距離Ｌ４よりも長くなるように形成されている。
【００３２】
梁化粧材３は木製で形成されており、その木材の種類や表面の仕上げは限定されることはない。したがって無垢材は勿論、無垢材にウレタン系塗料やオイル系塗料を塗布したり、合板や中密度繊維板に木材を薄く削いだ突板を仕上げ材として貼着してもよい。また、梁化粧材３の表面に壁クロスを貼着することもできる。さらに、上述したように、梁化粧材３は、第１化粧材３ａと第２化粧材３ｂとに分割されているため、各化粧材ごとに仕上げや樹種を変えて意匠に変化をつけてもよい。
【００３３】
固定下地材４は、図４に示すように、鉄骨梁２に設置される細長の部材で、木材で形成される。固定下地材４は、中フランジ２ｃの上部に設置される直方体の上部固定材４ａと、中フランジ２ｃの下部に設置される直方体の下部固定材４ｂを有する。図３に示すように、上部固定材４ａには、上フランジ２ｂ側の第１上面４１から上部固定材４ａの厚さ方向の略中央まで掘られた凹部４２と、凹部４２の底面から中フランジ２ｃと当接する面である第１下面４３までを貫通する第１貫通孔４ｃとが設けられている。また、下部固定材４ｂには、中フランジ２ｃと当接する面である第２上面４４から下フランジ２ｅに面する第２下面４５までを貫通する第２貫通孔４ｄが設けられている。
【００３４】
このようにして形成される第１貫通孔４ｃと第２貫通孔４ｄは、固定下地材４を中フランジ２ｃに設置した際に、挿通孔２２の位置と整合するように設けられており、ボルト７を挿通することができる。また、下部固定材４ｂの幅方向の長さは、中フランジ２ｃの下面から下フランジ２ｅの上面までの距離よりも短く形成されている。なお、上部固定材４ａ及び下部固定材４ｂの大きさは、鉄骨梁２の設置位置や形状に対応させた大きさとすることができる。
【００３５】
次に、梁化粧構造１の施工方法について説明する。鉄骨梁２は、建物内に設置されており、図１に示すように、上フランジ２ｂに上階の床版５を載置している。まず、図３及び図４に示すように、固定下地材４を鉄骨梁２の長手方向に沿うように配置して鉄骨梁２に設置する。固定下地材４は、上ウェブ２ａ及び下ウェブ２ｄを挟んでそれぞれ中フランジ２ｃの両側に設置される。具体的には、上部固定材４ａの第１下面４３を中フランジ２ｃの上面に当接させ、下部固定材４ｂの第２上面４４を中フランジ２ｃの下面に当接させて中フランジ２ｃの挿通孔２１と第１貫通孔４ｃ及び第２貫通孔４ｄの位置を整合させる。そして、ボルト７を凹部４２側から挿入して各孔に連通させ、第２下面４５から突出したボルト７にナット８を螺合させて、固定下地材４を鉄骨梁２に設置する。
【００３６】
このとき、先述したように、下部固定材４ｂの幅方向の長さは、中フランジ２ｃの下面から下フランジ２ｅの上面までの距離よりも短く形成されているので、第２下面４５と下フランジ２ｅとの間に空間が生じる。したがって、ナット８をボルト７に螺合する際に、容易に施工を行うことができる。
【００３７】
続いて、図１及び図４に示すように、天井材６及び天井材６を固定する天井下地材６２の小口を当接させる長尺な当接材９を、鉄骨梁２の長手方向へ沿うように上部下地材４ａの第１上面４１に載置する。このとき、当接材９は、上部固定材４ａと当接する面に接着剤を塗布されて上部固定材４ａに接着されるとともに当接材９の上ウェブ２ａと面する側面と反対側の側面から第１上面４１の方向へ釘１０を斜めに打ち込まれて上部固定材４ａに固定される。そして、天井下地材６２及び天井材６を当接材９に当接させながら所定の位置に設置して天井を形成する。
【００３８】
次に、梁化粧材３を固定下地材４に固定する。まず、図３に示すように、厚手の両面テープ１１を、固定下地材４の上ウェブ２ａ及び下ウェブ２ｄに面する側面と反対側の側面である外側面４６に貼着する。このとき、両面テープ１１は、内側面３５の溝部３６と合致する位置に設置される。そして、両面テープ１１に溝部３６を嵌め合せて梁化粧材３を固定下地材４に接着固定させる。なお、梁化粧材３の固定下地材４への固定は両面テープ１１と接着剤を併用して行ってもよい。このように、梁化粧材３は、固定下地材４の外側面４６に接着固定されるので、室内から見上げた時に釘やビスなどの雑多な固定具が目視されず、意匠性に優れた外観とすることができる。
【００３９】
またこのとき、上述したように、第１下面部３２の上面３７の幅Ｌ１と、第２下面部３４の上面３７の幅Ｌ１との和は、下面２１の幅Ｌ２未満であるため、図１及び図７に示すように、第１化粧材３ａと第２化粧材３ｂは互いに離間して隙間３０を形成する。隙間３０の幅は特に限定されることはなく、状況に応じてその幅を調整することができる。さらに、幅Ｌ３は距離Ｌ４よりも長く形成されているので、図５に示すように、梁化粧材３の上面３７は、下フランジ２ｅの下面２１と離間して下面２１との間に空間Ｓ１を形成することができる。
【００４０】
上面３７から下面２１までの距離Ｌ５は特に限定されることはない。したがって、距離Ｌ５を広げるように梁化粧材３の大きさを調整し、隙間３０の陰影を深めて鉄骨梁２の長手方向を強調したり、逆に距離Ｌ５を狭めるように梁化粧材３の大きさを調整して鉄骨梁２の硬質な素材感を強調するなど、状況に応じて意匠に変化をつけることができる。なお、下面２１は、塗料仕上げや素地仕上げとすることができる。
【００４１】
また第１空間Ｓ１には、図６に示すように、薄型のＬＥＤで形成された照明器具１２を設置することができる。このとき、下フランジ２ｅに配線用孔２３を設けておけば、第２下面４５と下フランジ２ｅの上面との間の空間に配線を通すことができ、効率的に照明器具１２を設置することができる。さらに、第１側面部３１及び第２側面部３３にそれぞれ板厚方向へ貫通するスリット３８を形成しておき、梁化粧材３と固定下地材４との間にスリット３８を避けてスペーサ４ｅを設置し、内側面３５と外側面４６とを離間させて、スリット３８と合致する位置に第２空間Ｓ２を形成し、この第２空間Ｓ２に照明器具１２を設置してもよい。このように、第１空間Ｓ１及び第２空間Ｓ２に照明器具１２を設置することにより、単に照明としての機能を備えるだけでなく鉄骨梁２の長手方向を強調することができ、変化に富んだ意匠の室内空間を構築することができる。
【００４２】
なお、図７では、隙間３０の平面視形状を直線としているが、隙間３０の平面視形状はこれに限定されることはなく、例えば平面視曲線であってもよい。また、図１等では、下面２１の幅方向略中央を露出させているが、必ずしも下面２１の幅方向略中央を視認させる必要はなく、第１下面部３２と第２下面部３４を部分的に離間させて隙間３０の平面視形状に変化をもたせてもよい。これはスリット３８の側面視形状についても同様とすることができる。さらに、照明器具１２は、隙間３０やスリット３８の全長に渡って配置してもよいし、部分的に配置してもよい。
【００４３】
以上のように構成される梁化粧構造１は、室内から見上げた際に隙間３０から鉄骨梁２の下面を視認することができるので、木製の梁化粧材３の柔らかな印象と鉄骨梁２の硬質な印象を組み合わせて変化に富んだ意匠とすることができる。さらに、鉄骨梁２の長手方向へ延びる隙間３０が鉄骨材の長手方向の直線を強調することができるので、鉄骨梁２が大スパンの梁である場合は、迫力のある室内空間を構築することができる。そして、梁化粧材３が第１化粧材３ａと第２化粧材３ｂとに分割されているため、鉄骨梁２を挟んで異なる天井高を有する場合、第１側面部３１と第２側面部３３の幅方向の寸法を調整して天井高の段差を吸収することができる。したがって、梁化粧構造１は、様々な意匠の天井に使用することができる。
【００４４】
次に、折上天井構造１３について説明する。図８から図１０は、天井面を凹溝形状に折上げた折上天井構造１３の一例を示すものであって、折上天井構造１３は、凹溝形状の底面を形成する折上天井面１４から室内方向へ突出し、且つ、梁化粧構造１を備えた複数の化粧梁１５と、凹溝形状の化粧梁１５に直交する側面を形成する見切縁１６と、折上天井面１４から室内方向へ突出し、且つ、折上天井面１４から露出する梁材２４の側面及び下面を木製の被覆材１７ａで被覆された被覆梁１７と、を有している。
【００４５】
梁化粧構造１を備えた複数の化粧梁１５は、図８及び図９に示すように、折上天井面１４から室内方向へ突出し、互いに間隔を空けて平行に設けられている。複数の化粧梁１５のうち端に設置される化粧梁１５ａは、凹溝形状の化粧梁１５に平行な側面を形成し、異なる天井高さの境界に設けられる見切材の役割を担っている。また、図９に示すように、化粧梁１５の下面は天井面６１よりも低い高さに位置しており、この化粧梁１５の下面と天井面６１との段差Ｈを吸収するために、天井面６１側に設置される化粧梁１５ａの第２側面部３３は、その幅を第１側面部３１の幅よりも小さくなるように形成されている。なお、梁化粧構造１については、先述した内容と重複するため具体的な説明を省略する。
【００４６】
見切縁１６は、図８及び図１０に示すように、化粧梁１５の長手方向の両端部に直交して設けられており、天井裏の梁材２４に設置される下地材に支持されている。見切縁１６は、化粧梁１５ａと同様に異なる天井高さの境界に設けらる見切材の役割を担う部材で、図１１に示すように、凹溝形状の側面を形成する凹溝側面材１６ａと、天井面６１に当接して段差Ｈを吸収する段差吸収材１６ｂを備えている。凹溝側面材１６ａは、凹溝の側面である凹溝側面部１６ｃと、凹溝側面部１６ｃの下端から天井材６側に突出する下面部１６ｄを有し、凹溝側面部１６ｃの幅は、化粧梁１５に設置される梁化粧材３の第１側面部３ａ及び第２側面部３ｂの幅と等しく形成されている。また、下面部１６ｄと段差吸収材１６ｂとは、互いに切欠きを設けて嵌め合せる所謂相欠き継手で継がれている。
【００４７】
被覆梁１７は、図８及び図１０に示すように、化粧梁１５の高さよりも低い高さで形成され、化粧梁１５に直交するとともに互いに離間する化粧梁１５の間に複数設けられている。被覆梁１７は、図１１に示すように、折上天井面１４から露出する梁材２４の側面及び下面を木製の被覆材１７ａで被覆して形成されている。被覆材１７ａは、梁材２４の両側面部を被覆し板状に形成される一対の側面材１７ｂと、梁材２４の下面を被覆する板状の下面材１７ｃを備え、一対の側面材１７ｂと下面材１７ｃとは、相欠き継手で継がれている。なお、被覆材１７ａは、梁材２４に設置される下地材に接着固定される。その固定方法は、梁化粧材３の固定下地材４への固定方法と同様であるため省略する。
【００４８】
このように形成される折上天井構造１３は、図１２に示すように、折上天井を変化に富んだ意匠とすることができる。また、被覆梁１７は隙間やスリットを有さず、化粧梁１５よりも高さが低いので、化粧梁１５の意匠性をより強調することができる。さらに、化粧梁１５と被覆梁１７は、化粧梁１５勝ちで設置されているので、化粧梁１５の長手方向のラインをより強調することができ、迫力のある空間を形成することができる。
【００４９】
また、本発明の実施の形態は上述の形態に限ることなく、本発明の思想の範囲を逸脱しない範囲で適宜変更することができることは云うまでもない。
【産業上の利用可能性】
【００５０】
本発明に係る梁化粧構造と折上天井構造は、室内に露出する鉄骨梁を有する建物に好適に使用することができる。
【符号の説明】
【００５１】
１    梁化粧構造
２    鉄骨梁
３    梁化粧材
３０  隙間
３ａ  第１梁化粧材
３１  第１側面部
３２  第１下面部
３３  第２側面部
３４  第２下面部
３ｂ  第２梁化粧材
４    固定下地材
４６  外側面
６１  天井面
１２  照明器具
１３    折上天井構造
１４    折上天井面
１５    化粧梁
１６    見切縁
１７    被覆梁
１７ａ  被覆材
Ｓ１    第１空間
Ｓ２    第２空間
【図１】
2018188852.tif 000003
【図２】
2018188852.tif 000004
【図３】
2018188852.tif 000005
【図４】
2018188852.tif 000006
【図５】
2018188852.tif 000007
【図６】
2018188852.tif 000008
【図７】
2018188852.tif 000009
【図８】
2018188852.tif 000010
【図９】
2018188852.tif 000011
【図１０】
2018188852.tif 000012
【図１１】
2018188852.tif 000013
【図１２】
2018188852.tif 000014
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
建物内に設置され室内に露出する鉄骨梁を梁化粧材で被覆する梁化粧構造であって、
型鋼で形成される長尺な前記鉄骨梁と、
前記鉄骨梁に設置され、前記梁化粧材を固定する固定下地材と、
室内に露出する前記鉄骨梁の両側面及び下面を前記鉄骨梁の長手方向に沿って被覆する木製板状の前記梁化粧材と、を備え、
前記梁化粧材は、前記鉄骨梁の一方の側面側から前記固定下地材に固定される第１梁化粧材と、前記鉄骨梁の他方の側面側から前記固定下地材に固定される第２梁化粧材と、を有し、
前記第１梁化粧材は、前記鉄骨梁の室内に露出する一方の側面を被覆する第１側面部と、該第１側面部の下端から前記鉄骨梁の下面の方向へ突出して前記鉄骨梁の下面を覆う第１下面部と、を形成し、
前記第２梁化粧材は、前記鉄骨梁の室内に露出する他方の側面を被覆する第２側面部と、該第２側面部の下端から前記鉄骨梁の下面の方向へ突出して前記鉄骨梁の下面を覆う第２下面部と、を形成し、
平面視において、前記第１下面部と前記第２下面部は、互いに離間して前記鉄骨梁の長手方向へ延びる隙間を形成し、
前記第１側面部及び前記第２側面部は、それぞれ板厚方向へ貫通するスリットを形成し、
前記第１側面部及び前記第２側面部の前記固定下地材に面する側面である内側面は、前記固定下地材の前記第１側面部及び前記第２側面部に面する側面である外側面と離間して該外側面との間に第２空間を形成し、
前記第２空間に照明器具を設置することを特徴とする梁化粧構造。
【請求項２】
建物内に設置され室内に露出する鉄骨梁を梁化粧材で被覆する梁化粧構造であって、
型鋼で形成される長尺な前記鉄骨梁と、
前記鉄骨梁の下面よりも上方で前記鉄骨梁に設置され、前記梁化粧材を固定する固定下地材と、
室内に露出する前記鉄骨梁の両側面及び下面を前記鉄骨梁の長手方向に沿って被覆する木製板状の前記梁化粧材と、を備え、
前記梁化粧材は、該梁化粧材の前記鉄骨梁の下面を被覆する部分に前記梁化粧材の板厚方向へ貫通する隙間を形成し、
前記隙間部分において、前記鉄骨梁の下面から前記梁化粧材の下面までの間は、空隙であることを特徴とする梁化粧構造。
【請求項３】
前記梁化粧材は、前記鉄骨梁の一方の側面側から前記固定下地材に固定される第１梁化粧材と、前記鉄骨梁の他方の側面側から前記固定下地材に固定される第２梁化粧材と、を有し、
前記第１梁化粧材は、前記鉄骨梁の室内に露出する一方の側面を被覆する第１側面部と、該第１側面部の下端から前記鉄骨梁の下面の方向へ突出して前記鉄骨梁の下面を覆う第１下面部と、を形成し、
前記第２梁化粧材は、前記鉄骨梁の室内に露出する他方の側面を被覆する第２側面部と、該第２側面部の下端から前記鉄骨梁の下面の方向へ突出して前記鉄骨梁の下面を覆う第２下面部と、を形成し、
平面視において、前記第１下面部と前記第２下面部は、互いに離間して前記鉄骨梁の長手方向へ延びる前記隙間を形成することを特徴とする請求項２に記載の梁化粧構造。
【請求項４】
前記第１下面部及び前記第２下面部の上面は、それぞれ前記鉄骨梁の下面と離間して該鉄骨梁の下面との間に第１空間を形成することを特徴とする請求項３に記載の梁化粧構造。
【請求項５】
前記第１空間に照明器具を設置することを特徴とする請求項４に記載の梁化粧構造。
【請求項６】
前記梁化粧材は、前記第１側面部及び前記第２側面部を前記固定下地材に接着固定することを特徴とする請求項３から請求項５のいずれかに記載の梁化粧構造。
【請求項７】
建物内に設けられた天井面を凹溝形状に折上げた折上天井構造であって、
前記凹溝形状の底面を形成する折上天井面から室内方向へ突出し、且つ、請求項１から請求項６のいずれかに記載の前記梁化粧構造を備えた複数の化粧梁と、
前記化粧梁に直交する前記凹溝形状の側面を形成する見切縁と、を有していることを特徴とする折上天井構造。
【請求項８】
前記折上天井面から室内方向へ突出し、且つ、前記折上天井面から露出する梁材の両側面及び下面を木製の被覆材で被覆された被覆梁をさらに有し、
前記化粧梁は、互いに離間して平行に形成され、
前記被覆梁は、互いに離間する前記化粧梁の間に前記化粧梁に直交して設置され、且つ、前記化粧梁の高さよりも低い高さで形成されることを特徴とする請求項７に記載の折上天井構造。
【手続補正２】
【補正対象書類名】明細書
【補正対象項目名】０００８
【補正方法】変更
【補正の内容】
【０００８】
本発明の第１の梁化粧構造は、建物内に設置され室内に露出する鉄骨梁を梁化粧材で被覆する梁化粧構造であって、型鋼で形成される長尺な前記鉄骨梁と、前記鉄骨梁に設置され、前記梁化粧材を固定する固定下地材と、室内に露出する前記鉄骨梁の両側面及び下面を前記鉄骨梁の長手方向に沿って被覆する木製板状の前記梁化粧材と、を備え、前記梁化粧材は、前記鉄骨梁の一方の側面側から前記固定下地材に固定される第１梁化粧材と、前記鉄骨梁の他方の側面側から前記固定下地材に固定される第２梁化粧材と、を有し、前記第１梁化粧材は、前記鉄骨梁の室内に露出する一方の側面を被覆する第１側面部と、該第１側面部の下端から前記鉄骨梁の下面の方向へ突出して前記鉄骨梁の下面を覆う第１下面部と、を形成し、前記第２梁化粧材は、前記鉄骨梁の室内に露出する他方の側面を被覆する第２側面部と、該第２側面部の下端から前記鉄骨梁の下面の方向へ突出して前記鉄骨梁の下面を覆う第２下面部と、を形成し、平面視において、前記第１下面部と前記第２下面部は、互いに離間して前記鉄骨梁の長手方向へ延びる隙間を形成し、前記第１側面部及び前記第２側面部は、それぞれ板厚方向へ貫通するスリットを形成し、前記第１側面部及び前記第２側面部の前記固定下地材に面する側面である内側面は、前記固定下地材の前記第１側面部及び前記第２側面部に面する側面である外側面と離間して該外側面との間に第２空間を形成し、前記第２空間に照明器具を設置することを特徴としている。
【手続補正３】
【補正対象書類名】明細書
【補正対象項目名】０００９
【補正方法】変更
【補正の内容】
【０００９】
本発明の第２の梁化粧構造は、建物内に設置され室内に露出する鉄骨梁を梁化粧材で被覆する梁化粧構造であって、型鋼で形成される長尺な前記鉄骨梁と、前記鉄骨梁の下面よりも上方で前記鉄骨梁に設置され、前記梁化粧材を固定する固定下地材と、室内に露出する前記鉄骨梁の両側面及び下面を前記鉄骨梁の長手方向に沿って被覆する木製板状の前記梁化粧材と、を備え、前記梁化粧材は、該梁化粧材の前記鉄骨梁の下面を被覆する部分に前記梁化粧材の板厚方向へ貫通する隙間を形成し、前記隙間部分において、前記鉄骨梁の下面から前記梁化粧材の下面までの間は、空隙であることを特徴としている。
【手続補正４】
【補正対象書類名】明細書
【補正対象項目名】００１０
【補正方法】変更
【補正の内容】
【００１０】
本発明の第３の梁化粧構造は、前記梁化粧材は、前記鉄骨梁の一方の側面側から前記固定下地材に固定される第１梁化粧材と、前記鉄骨梁の他方の側面側から前記固定下地材に固定される第２梁化粧材と、を有し、前記第１梁化粧材は、前記鉄骨梁の室内に露出する一方の側面を被覆する第１側面部と、該第１側面部の下端から前記鉄骨梁の下面の方向へ突出して前記鉄骨梁の下面を覆う第１下面部と、を形成し、前記第２梁化粧材は、前記鉄骨梁の室内に露出する他方の側面を被覆する第２側面部と、該第２側面部の下端から前記鉄骨梁の下面の方向へ突出して前記鉄骨梁の下面を覆う第２下面部と、を形成し、平面視において、前記第１下面部と前記第２下面部は、互いに離間して前記鉄骨梁の長手方向へ延びる前記隙間を形成することを特徴としている。
【手続補正５】
【補正対象書類名】明細書
【補正対象項目名】００１１
【補正方法】変更
【補正の内容】
【００１１】
本発明の第４の梁化粧構造は、前記第１下面部及び前記第２下面部の上面は、それぞれ前記鉄骨梁の下面と離間して該鉄骨梁の下面との間に第１空間を形成することを特徴としている。
【手続補正６】
【補正対象書類名】明細書
【補正対象項目名】００１２
【補正方法】変更
【補正の内容】
【００１２】
本発明の第５の梁化粧構造は、前記第１空間に照明器具を設置することを特徴としている。
【手続補正７】
【補正対象書類名】明細書
【補正対象項目名】００１４
【補正方法】変更
【補正の内容】
【００１４】
本発明の折上天井構造は、建物内に設けられた天井面を凹溝形状に折上げた折上天井構造であって、前記凹溝形状の底面を形成する折上天井面から室内方向へ突出し、且つ、第１から第６のいずれかに記載の前記梁化粧構造を備えた複数の化粧梁と、前記化粧梁に直交する前記凹溝形状の側面を形成する見切縁と、を有していることを特徴としている。
【手続補正８】
【補正対象書類名】明細書
【補正対象項目名】００１６
【補正方法】変更
【補正の内容】
【００１６】
本発明の梁化粧構造によると、梁化粧材は、梁化粧材の鉄骨梁の下面を被覆する部分に、梁化粧材の板厚方向へ貫通する隙間を形成しているので、室内から見上げた際に隙間から鉄骨梁の下面を視認することができる。したがって、木製の梁化粧材の柔らかな印象と鉄骨梁の硬質な印象を組み合わせて変化に富んだ意匠の室内空間を構築することができる。また、第１側面部及び第２側面部は、それぞれ板厚方向へ貫通するスリットを形成し、第１側面部及び第２側面部の内側面は、外側面とそれぞれ離間して外側面との間に第２空間を形成し、第２空間に照明器具を設置するので、スリットから照明光が照射されて、室内を照らすことができる。また、スリットが鉄骨梁の長手方向に延びる場合は、スリットから照射される照明光が鉄骨材の長手方向を強調することができ、変化に富んだ意匠の室内空間を構築することができる。
【手続補正９】
【補正対象書類名】明細書
【補正対象項目名】００１７
【補正方法】変更
【補正の内容】
【００１７】
本発明の梁化粧構造によると、梁化粧材は、鉄骨梁の第１化粧材と第２化粧材を有しており、平面視において、第１化粧材の第１下面部と第２化粧材の第２下面部は、互いに離間して鉄骨梁の長手方向へ延びる隙間を形成しているので、室内から見上げた際に、隙間が鉄骨梁の長手方向を強調することができる。したがって、鉄骨梁が天井内に隠蔽できない大スパンの梁である場合は、迫力のある室内空間を構築することができる。また、梁化粧材は第１化粧材と第２化粧材とに分割されているため、鉄骨梁を挟んで天井高さが相違する場合は、天井高さに合わせて第１化粧材及び第２化粧材の形状を変更することができ、様々な天井高さに柔軟に対応することができる。
【手続補正１０】
【補正対象書類名】明細書
【補正対象項目名】００１８
【補正方法】変更
【補正の内容】
【００１８】
本発明の梁化粧構造によると、第１下面部及び第２下面部の上面は、鉄骨梁の下面と離間して鉄骨梁の下面との間に第１空間を形成するので、室内から見上げた際に、隙間の陰影をより高めることができ、変化に富んだ意匠の室内空間を構築することができる。
【手続補正１１】
【補正対象書類名】明細書
【補正対象項目名】００１９
【補正方法】変更
【補正の内容】
【００１９】
本発明の梁化粧構造によると、第１空間に照明器具を設置するので、隙間から照明光が照射されて、室内を照らすことができる。また、隙間が鉄骨梁の長手方向に延びる場合は、隙間から照射される照明光が鉄骨材の長手方向を強調することができ、変化に富んだ意匠の室内空間を構築することができる。
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】変更
【補正の内容】
【００２１】
本発明の梁化粧構造によると、第１側面部及び第２側面部を固定下地材に接着固定するので、室内から見上げた時に、ビスや釘などの雑多な固定具が目視されず意匠性に優れた梁化粧構造を構築することができる。